(57)【要約】【課題】  繰り返して楽しめるアニメを表示する携帯電話機を提供する。【解決手段】  携帯電話機は、動画を撮影する機能を有するカメラを備えている。携帯電話機はＧＩＦアニメを作成するプログラムを記憶している。そのプログラムは、再生操作が行われるたびに、撮影された動画のなかからユーザにより指定された枚数の静止画をランダムに抽出する。さらに抽出された静止画を時系列的に結合することによりＧＩＦアニメを作成する。こうした携帯電話機により、同一の元画像から再生するたびに切り出し方の異なるＧＩＦアニメが再生される。【選択図】図１
2005210235.tif 000002
【特許請求の範囲】
【請求項１】
複数の静止画から形成される動画を記憶する記憶部と、
前記複数の静止画のなかから第１群の被選択静止画と第２群の被選択静止画とを選択する静止画選択部と、
前記第１群の被選択静止画から第１アニメーションを作成し、前記第２群の被選択静止画から第２アニメーションを作成するアニメーション作成部
とを具備する
画像処理装置。
【請求項２】
請求項１において、
前記第１群の被選択静止画は前記動画の第１期間から選択され、
前記第２群の被選択静止画は前記動画の第２期間から選択され、
前記第１期間と前記第２期間とは重なる部分を有する
画像処理装置。
【請求項３】
請求項１または２に記載された画像処理装置において、
前記第１群の被選択静止画は前記動画の第１期間から選択され、
前記第２群の被選択静止画は前記動画の第２期間から選択され、
前記第１期間と前記第２期間とは異なる
画像処理装置。
【請求項４】
請求項１から３のうちのいずれか１項に記載された画像処理装置において、
前記第１群の被選択静止画と前記第２群の被選択静止画とのうちの少なくとも一方はランダムに選択される
画像処理装置。
【請求項５】
請求項１から４のうちのいずれか１項に記載された画像処理装置において、
更に、入力部を具備し、
前記静止画選択部により選択される静止画の枚数は前記入力部からの入力に応じて指定される
画像処理装置。
【請求項６】
複数の静止画から形成される動画を記憶する記憶部と、
前記複数の静止画のなかから被選択静止画を選択する静止画選択部と、
前記被選択静止画を時系列的に表示することにより再生されるアニメーションのデータを作成するアニメーション作成部
とを具備し、
前記静止画選択部は、同一の前記動画からの前記被選択静止画の選択が繰り返し行われるとき、前回と異なる前記被選択静止画を選択する
画像処理装置。
【請求項７】
請求項１から６のうちのいずれか１項に記載された画像処理装置と、
前記動画を撮影し、撮影された前記動画を前記記憶部に書き込むカメラ部と、
前記アニメーション作成部により作成されるアニメーションを表示する表示部と、
通信回線を介して他の端末装置と通信を行う通信部
とを具備する
携帯電話機。
【請求項８】
請求項７に記載された携帯電話機において、
前記携帯電話機は複数の動作モードを有し、かつ前記入力部からの所定の操作によりワンタッチアニメモードに切替えられ、
前記携帯電話機は、
前記所定の操作に応答して自動的に前記カメラ部を起動し、
前記画像処理装置は、前記ワンタッチアニメモードにおいて前記動画の撮影が終了されたとき撮影された前記動画から自動的にアニメーションを作成する
携帯電話機。
【請求項９】
動画を収集するステップと、
前記動画に含まれる複数の静止画のなかから第１群の被選択静止画を選択するステップと、
前記第１群の被選択静止画から第１アニメーションを作成するステップと、
前記複数の静止画のなかから第２群の被選択静止画を選択するステップと、
前記第２群の被選択静止画から第２アニメーションを作成するステップ
とを具備する
画像処理方法。
【請求項１０】
動画を収集するステップと、
前記動画に含まれる複数の静止画のなかから第１群の被選択静止画を選択するステップと、
前記第１群の被選択静止画から第１アニメーションを作成するステップと、
前記複数の静止画のなかから第２群の被選択静止画を選択するステップと、
前記第２群の被選択静止画から第２アニメーションを作成するステップ
とを具備する方法をコンピュータに実行させる画像処理プログラム。
【発明の詳細な説明】
【技術分野】
【０００１】
本発明は、画像処理に関する。本発明は特に、画像処理機能を有するカメラ付き携帯電話に関する。
【背景技術】
【０００２】
近年、カメラを内蔵し、そのカメラにより動画を撮影する機能を備えた携帯電話機が普及している。撮影された動画は、電子メールにより送信することができる。
【０００３】
アニメーションモードに設定された場合には、撮影によって、または記憶媒体から離散的に取り込まれた静止画像データに対して減色処理とＬＺＷ方式によるデータ圧縮を行い、圧縮データを時系列に連結してＧＩＦのファイル形式に取りまとめることで時間軸上で関連づけて表示できる形態のアニメーションＧＩＦファイルに変換する撮像装置及び信号処理方法が知られている（特許文献１参照）。
【特許文献１】再公表ＷＯ００／６４１５４号公報
【発明の開示】
【発明が解決しようとする課題】
【０００４】
本発明の目的は、繰り返し楽しむことのできるアニメーションを作成する機能を有する画像処理装置を提供することである。
本発明の他の目的は、画像ファイルのサイズが小さく且つ生き生きしたアニメーションを作成する機能を有する画像処理装置を提供することである。
本発明の更に他の目的は、飽きが来ることの少ない背景画像を有する画像処理装置を提供することである。
【課題を解決するための手段】
【０００５】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【０００６】
本発明による画像処理装置（１０）は、複数の静止画（１３）から形成される動画（１２）を記憶する記憶部（７）と、複数の静止画（１３）のなかから第１群の被選択静止画（１５ａ）と第２群の被選択静止画（１５ｂ）とを選択する静止画選択部（８）と、第１群の被選択静止画（１５ａ）から第１アニメーション（１４ａ）を作成し、第２群の被選択静止画（１５ｂ）から第２アニメーション（１４ｂ）を作成するアニメーション作成部（６）とを具備する。
【０００７】
アニメーション作成部が作成するアニメーションは、いわゆる「ぱらぱらマンガ」と言われるようなものであり、次の特徴の両方を有する。
（１）類似する部分を含む複数の静止画が順次切替えられることによって連続した動きが表現されていると人間の視覚によって認識される部分を含む。
（２）不連続な複数の静止画が切替えられていることが人間の視覚によって認識できる。
こうしたアニメーションは動画に比べてデータ容量が少ないため、電子メール等による通信に適している。さらに、ぱらぱらマンガのようなアニメーションは、動きがなめらかな動画とは異なる視覚的印象を人に与え、面白い。こうした画像処理装置によれば、同一の動画からさまざまなアニメーションが切り出される。そのため、ユーザは繰り返し楽しむことができる。
【０００８】
本発明による画像処理装置が作成するアニメーションは、上記の「ぱらぱらマンガ」を再生するプログラムに対応したファイル形式をしている。好ましくは、アニメーションはＧＩＦ（Ｇｒａｐｈｉｃｓ  Ｉｎｔｅｒｃｈａｎｇｅ  Ｆｏｒｍａｔ）アニメーション形式のファイルである。
【０００９】
本発明による画像処理装置において、第１群の被選択静止画（１４ａ）は動画の第１期間から選択される。第２群の被選択静止画（１４ｂ）は動画の第２期間から選択される。第１期間と第２期間とは重なる部分を有する。
【００１０】
こうした画像処理装置によれば、動画の時間の進行において同一の時間が、異なるアニメーションに加工される。ユーザは、人間の視覚の特性により、繰り返し見るぱらぱらマンガが全く同一の静止画から構成されているか、概ね同一の動きが表現されていても違う静止画から構成されているかを敏感に感じ取る。そして後者の方を生き生きしていると感じる。そのため、こうした画像処理装置によるアニメーションは、繰り返し見たときに生き生きしていると感じられ、飽きが来ない。こうしたアニメーションは、例えば携帯電話の待ち受け画面、ＰＣ（Ｐｅｒｓｏｎａｌ  Ｃｏｍｐｕｔｅｒ）又はＰＤＡ（Ｐｅｒｓｏｎａｌ  Ｄｉｇｉｔａｌ  Ａｓｓｉｓｔａｎｔ）等のコンピュータシステムのスクリーンセーバー、Ｗｅｂページに表示されるバナーに好適に用いられる。こうした画像処理装置は動画撮影機能を有するデジタルスチールカメラ、又はデジタルビデオカメラに搭載される。
【００１１】
本発明による画像処理装置において、第１群の被選択静止画は動画の第１期間から選択される。第２群の被選択静止画は動画の第２期間から選択される。第１期間と第２期間とは異なる。
【００１２】
第１期間と第２期間とは、一部が重なっているか、または重なる部分を含まない。
こうした画像処理装置によれば、同一の動画の中の時間的に異なる部分から作成されるアニメーションを毎回得ることができる。こうした画像処理装置は、ユーザにどのようなアニメーションが現れるかを期待させ、興味をそそる。こうしたアニメーションは、例えば携帯電話の待ち受け画面、ＰＣ（Ｐｅｒｓｏｎａｌ  Ｃｏｍｐｕｔｅｒ）又はＰＤＡ（Ｐｅｒｓｏｎａｌ  Ｄｉｇｉｔａｌ  Ａｓｓｉｓｔａｎｔ）等のコンピュータシステムのスクリーンセーバー、Ｗｅｂページに表示されるバナーに好適に用いられる。
【００１３】
本発明による画像処理装置（１０）において、第１群の被選択静止画（１４ａ）と第２群の被選択静止画（１４ｂ）とのうちの少なくとも一方はランダムに選択される。
【００１４】
こうした画像処理装置によれば、同一の動画から繰り返し新しいアニメーションが作成される。しかもランダムであるために飽きにくい。
【００１５】
本発明による画像処理装置（１０）は、入力部（９）を具備している。静止画選択部（８）により選択される静止画（１５ａ、１５ｂ）の枚数は入力部（９）からの入力に応じて指定される。
【００１６】
枚数は、単位時間当りに動画から切り出される枚数、またはひとつの動画から切り出される静止画すべての枚数である。こうした画像処理装置によれば、静止画枚数が多く元の動画に近いアニメーションから、静止画枚数が少なく絵本のように不連続な動きのアニメーションまで、ユーザの好みのアニメーションが得られる。
【００１７】
本発明による画像処理装置（１０）は、複数の静止画（１３）から形成される動画（１２）を記憶する記憶部（７）と、複数の静止画（１３）のなかから被選択静止画（１５ａ、１５ｂ）を選択する静止画選択部（８）と、被選択静止画（１５ａ、１５ｂ）を時系列的に表示することにより再生されるアニメーションのデータ（１４ａ、１４ｂ）を作成するアニメーション作成部（６）とを具備している。静止画選択部（８）は、同一の動画（１２）からの被選択静止画（１５ａ、１５ｂ）の選択が繰り返し行われるとき、前回と異なる被選択静止画（１５ａ、１５ｂ）を選択する。
【００１８】
本発明による携帯電話機は、本発明による画像処理装置（１０）を具備している。本発明による携帯電話機は更に、動画（１２）を撮影し、撮影された動画（１２）を記憶部（７）に書き込むカメラ部（５）と、第１アニメーション（１４ａ）と第２アニメーション（１４ｂ）とを表示する表示部（３）と、通信回線を介して他の端末装置と通信を行う通信部（２）とを具備している。
【００１９】
こうした携帯電話機によれば、動画を撮影し、その動画から作成されたぱらぱらマンガ的なアニメーションをすぐに楽しむことができる。こうしたアニメーションはデータ容量が動画より小さいため、電子メールで他の携帯電話機などの通信端末に送信するのに適している。作成されたアニメーションは、その携帯電話機の待ち受け画面として設定できることが好ましい。
【００２０】
本発明による携帯電話機は複数の動作モードを有し、かつ入力部からの所定の操作（１１）によりワンタッチアニメモードに切替えられる。本発明による携帯電話機は、所定の操作に応答して自動的にカメラ部を起動する。画像処理装置（１０）は、ワンタッチアニメモードにおいて動画（１２）の撮影が終了されたとき撮影された動画から自動的にアニメーション（１４ａ、１４ｂ）を作成する。
【００２１】
携帯電話機はしばしば多数の機能を有しており、その機能を使いこなすことはユーザにとってしばしば困難である。ワンタッチアニメモードを備えた携帯電話機によれば、ユーザは動画の撮影からアニメーションの作成までの一連の動作を簡単に行うことができる。
【００２２】
本発明による画像処理方法は、動画（１２）を収集するステップ（Ｓ１４）と、動画（１２）に含まれる複数の静止画（１３）のなかから第１群の被選択静止画（１５ａ）を選択するステップと、第１群の被選択静止画（１５ａ）から第１アニメーション（１４ａ）を作成するステップと、複数の静止画（１３）のなかから第２群の被選択静止画（１５ｂ）を選択するステップと、第２群の被選択静止画（１５ｂ）から第２アニメーション（１４ｂ）を作成するステップとを具備している。
【００２３】
本発明による画像処理プログラム（２０）は、動画（１２）を収集するステップ（Ｓ１４）と、動画（１２）に含まれる複数の静止画（１３）のなかから第１群の被選択静止画（１５ａ）を選択するステップと、第１群の被選択静止画（１５ａ）から第１アニメーション（１４ａ）を作成するステップと、複数の静止画（１３）のなかから第２群の被選択静止画（１５ｂ）を選択するステップと、第２群の被選択静止画（１５ｂ）から第２アニメーション（１４ｂ）を作成するステップとを具備する方法をコンピュータ（４）に実行させる。
【発明の効果】
【００２４】
本発明によれば、繰り返し楽しむことのできるアニメーションを作成する機能を有する画像処理装置が提供される。
更に本発明によれば、画像ファイルのサイズが小さく且つ生き生きしたアニメーションを作成する機能を有する画像処理装置が提供される。
更に本発明によれば、飽きが来ることの少ない背景画像を有する画像処理装置が提供される。
【発明を実施するための最良の形態】
【００２５】
以下、図面を参照しながら本発明を実施するための最良の形態について詳細に説明する。本発明による画像処理装置は、携帯電話機に好適に適用される。
【００２６】
図１を参照すると、携帯電話機１０の構成が示されている。携帯電話機１０は、ＣＰＵ４（中央演算処理装置）を備えている。携帯電話機１０は、無線部２、表示部３、カメラ部５、画像合成部６、メモリ７、静止画切り出し部８、及び入力部９に接続されている。無線部２はアンテナ１に接続され、アンテナ１を介して携帯電話機などの他の通信端末装置と無線通信を行う。表示部３は液晶ディスプレイ、ＬＥＤ（Ｌｉｇｈｔ  Ｅｍｉｔｔｉｎｇ  ｄｉｏｄｅ）等の表示装置を備えている。カメラ部５はＣＣＤ（Ｃｈａｒｇｅ  Ｃｏｕｐｌｅｄ  Ｄｅｖｉｃｅ）カメラを備えており、動画を撮影する。画像合成部６は、複数の静止画を時系列的に並べて動画用のデータを生成する。静止画切り出し部８は複数の静止画からなる動画のなかから少なくとも１枚の静止画を抽出する。画像合成部６と静止画切り出し部８とは、記憶媒体に格納されＣＰＵ４により実行されるプログラムにより、又は電子回路により実現される。メモリ７はワンタッチアニメプログラム２０を格納している。
【００２７】
入力部９はキーボード等を含み、ワンタッチアニメボタン１１を備えている。携帯電話機１０は、ワンタッチアニメボタン１１に代えて、所定の操作により表示部３に表示されるメニュー画面から選択することにより後述するワンタッチアニメモードに設定できるようなプログラムをメモリ７に格納していてもよい。
【００２８】
図２を参照すると、本発明による携帯電話機１０の動作が示されている。
ステップＳ２：ユーザがワンタッチアニメボタン１１をプッシュすると、ＣＰＵ４はワンタッチアニメプログラム２０を読み出し、携帯電話機１０はワンタッチアニメモードになる。
ステップＳ４：ＣＰＵ４はワンタッチアニメプログラム２０に記述されている手順に従ってカメラ部５を自動的に起動する。
【００２９】
ステップＳ６：ユーザは、メモリ７に記憶されている動画を編集したいとき（Ｙｅｓ）、入力部９に所定の操作を加える。その場合、動作はステップＳ２４に移行する。入力部９にその所定の操作が加えられない場合（Ｎｏ）、動作はステップＳ８に移行する。
【００３０】
ステップＳ８：ユーザは、切り出し枚数を設定したいとき（Ｙｅｓ）、入力部９に所定の操作を加える。その場合、ＣＰＵ４はワンタッチアニメプログラム２０に記述された手順に従って表示部３に切り出し枚数の設定画面を表示する。その設定画面には、切り出し枚数の候補が例えば１秒当り０．５フレーム、１フレーム、及び２フレームの３種類、表示される。ユーザはそのなかから切り出し枚数を選択する（ステップＳ１２）。ユーザが切り出し枚数を設定しないとき（Ｎｏ）、切り出し枚数は自動的に初期設定された値とされる（ステップＳ１０）。
【００３１】
ステップＳ１４：ユーザは、入力部９に所定の操作を加えることにより、カメラ部５による動画の撮影を開始する。撮影された動画はメモリ７に記憶される。
ステップＳ１６：ユーザは、入力部９に所定の操作を加えることにより、カメラ部５による動画の撮影を終了する。
【００３２】
ステップＳ１８：動画の撮影が終了されると、ＣＰＵ４はワンタッチアニメプログラム２０に記述された手順に従い、撮影された動画からステップＳ１０又はステップＳ１２により設定された切り出し枚数の静止画を静止画切り出し部８に抽出させる。
【００３３】
ステップＳ２０：ＣＰＵ４はワンタッチアニメプログラム２０に記述された手順に従い、切り出された静止画を時系列に沿って再生するアニメーションを画像合成部６に作成させる。
【００３４】
ステップＳ２２：ＣＰＵ４は、ワンタッチアニメプログラム２０に記述された手順に従い、作成されたアニメーションをユーザが入力部９に加える所定の操作に応答して再生する。好ましくは、ＣＰＵ４は、ワンタッチアニメプログラム２０に記述された手順に従い、アニメーションが作成されると自動的にそのアニメーションを再生する。
【００３５】
ステップＳ２４：ＣＰＵ４は、メモリ７に格納されている動画のリストを表示部３に表示する。
【００３６】
ステップＳ２６：ユーザは、表示された動画の中から所望の動画を指定する操作を入力部９に対して行う。
【００３７】
ステップＳ２８：ユーザは、切り出し枚数を設定したいとき（Ｙｅｓ）、入力部９に所定の操作を加える。その場合、ＣＰＵ４はワンタッチアニメプログラム２０に記述された手順に従って表示部３に切り出し枚数の設定画面を表示する。その設定画面には、切り出し枚数の候補が表示され、ユーザはそのなかから切り出し枚数を選択する（ステップＳ３２）。その後、ステップＳ１８以降の動作が行われる。ユーザが切り出し枚数を設定しないとき（Ｎｏ）、切り出し枚数は前回その動画からＧＩＦアニメが再生されたときと同じ枚数に設定される（ステップＳ３０）。その後、ステップＳ１８以降の動作が行われる。
【００３８】
図３を参照して、静止画切り出し部８が動画から静止画を抽出する方法について説明する。カメラ部５が撮影した動画１２は、１秒間に５枚から１５枚又はそれ以上の静止画１３を含んでいる。
【００３９】
ワンタッチアニメプログラム２０が起動されると、ワンタッチアニメプログラム２０は、動画１２に含まれる静止画１３を、所定の再生時間毎、例えば１秒毎のグループ１８にグループ分けする。ワンタッチアニメプログラム２０は、図３において時刻ｔ１〜ｔ４に示される所定の時間幅における各々のグループ１８から１枚の被選択静止画１５ａを選択する。選択された被選択画像１５ａは時系列的に並べられ、ＧＩＦアニメ１４ａのデータとなる。
【００４０】
ワンタッチアニメプログラム２０が再び起動されると、ワンタッチアニメプログラム２０は、図３において時刻ｔ２〜ｔ５に示される所定の時間幅における各々のグループ１８から１枚の被選択静止画１５ｂを選択する。前回選択の対象となったグループ１８と今回選択の対象となったグループ１８とは、少なくとも一部（図３におけるｔ２〜ｔ４の部分）が重なっている。
【００４１】
重なっているグループ１８から選び出される被選択静止画１５ａと被選択静止画１５ｂとは、異なる選び出し方により選択される。選択された被選択画像１５ｂは時系列的に並べられ、ＧＩＦアニメ１４ａとは異なるＧＩＦアニメ１５ｂのデータとなる。
【００４２】
ワンタッチアニメプログラム２０が前回と異なる被選択静止画１５ｂを選択するために、選択はメモリ７に格納されている擬似ランダム的な数列又は擬似乱数を発生する回路若しくはプログラムにより擬似ランダム的に行われることが好ましい。
【００４３】
こうした画像処理装置によれば、同一の動画を元にして再生する度に毎回異なるＧＩＦアニメが作成されるため、ユーザは繰り返し見て飽きのこない生き生きしたＧＩＦアニメを楽しむことができる。
【００４４】
図４を参照すると、携帯電話機１０の他の動作が示されている。携帯電話機１０は、取得した静止画を元にＧＩＦアニメを作成するために用いられる。
【００４５】
ステップＳ３４：携帯電話機１０は、カメラ部５の撮影により又は無線部２を介して受信することにより複数の静止画像を取得する。取得した静止画像は、メモリ７に格納される。
【００４６】
ステップＳ３６：所定のプログラムにより、表示部３に再生順序を指定する数が表示される。例えば最初の１枚が設定されるときには「１」が表示される。
【００４７】
ステップＳ３８：ユーザはメモリ７に格納されている静止画のなかから１枚の静止画を選択する。
【００４８】
ステップＳ４０：ユーザは、静止画を続けて選択するか静止画の選択を終了するかに対応して入力部９に所定の操作を加える。静止画を続けて選択する場合（ステップＳ４０Ｎｏ）、処理はステップＳ３６に戻り、次の再生順序の静止画が指定される。静止画の選択を終了する場合（ステップＳ４０Ｙｅｓ）、処理はステップＳ４２に移行する。
【００４９】
ステップＳ４２：ユーザはＧＩＦアニメを再生したいとき、入力部９に所定の操作を加える。
【００５０】
ステップＳ４４：選択された複数の静止画のなかからより少ない複数の静止画が選択される。選択は、図３に示される動画１２に含まれる静止画１３を、ステップＳ３６により順序を決められステップＳ３８によって選択された静止画に置き換えて、ステップＳ１８と同じ手順で行われる。
【００５１】
ステップＳ４６：ステップＳ４４で抽出された静止画から、ステップＳ２０と同じ手順によりＧＩＦアニメが作成される。
【００５２】
ステップＳ４８：ＧＩＦアニメが再生される。ステップＳ３６〜Ｓ４０において指定された同一の静止画群に対して、再生される度に異なる静止画が抽出されてＧＩＦアニメが再生されるため、ユーザは飽きが来ることの少ない生き生きしたＧＩＦアニメを楽しむことができる。
【図面の簡単な説明】
【００５３】
【図１】図１は、画像処理装置の構成を示す。
【図２】図２は、画像処理装置の動作を示すフローチャートである。
【図３】図３は、アニメーションを作成するために動画から静止画を切り出す方法を説明する図である。
【図４】図４は、画像処理装置の動作を示すフローチャートである。
【符号の説明】
【００５４】
１…アンテナ
２…無線部
３…表示部
５…カメラ部
６…画像合成部
７…メモリ
８…静止画切り出し部
９…入力部
１０…携帯電話機
１１…ワンタッチアニメボタン
１２…動画
１３…静止画
１４…ＧＩＦアニメ
１５…被選択静止画
１８…グループ
２０…ワンタッチアニメプログラム
【図１】
2005210235.tif 000003
【図２】
2005210235.tif 000004
【図３】
2005210235.tif 000005
【図４】
2005210235.tif 000006